(57)【要約】【課題】垂木固定用ビスの有無を容易に確認することができる垂木固定ビス確認用部材および垂木の固定構造を提供すること。【解決手段】本発明の垂木固定ビス確認用部材１及び固定構造Ｂによれば、上面板２のはみ出し部２ａを垂木１１の上面１１ａからはみ出させることにより、検査者が屋根を見上げるようにして垂木１１を見た場合、垂木固定ビス１５が設けられた箇所には、必ずそのはみ出し部２ａが視認される。よって、はみ出し部２ａが見えるか否かによって垂木固定ビス１５の有無を判断でき、したがって、検査者は、垂木固定ビス１５の有無を容易に確認できる。【選択図】図４
2012097537.tif 000002
【特許請求の範囲】
【請求項１】
垂木の上面に載置される上面板と、
前記上面板に形成されて、前記垂木を横架材に固定するための垂木固定ビスが通される通し孔と、を備え、
前記上面板は、前記垂木の前記上面からはみ出すはみ出し部を有することを特徴とする垂木固定ビス確認用部材。
【請求項２】
前記上面板は、傾斜した前記垂木の前記上面に載置されたときに、前記通し孔よりも低い部分の面積が前記通し孔よりも高い部分の面積よりも大きいことを特徴とする請求項１記載の垂木固定ビス確認用部材。
【請求項３】
前記上面板の前記はみ出し部には、前記垂木の側面に沿って下方に延びる係止板が連設されていることを特徴とする請求項１又は２記載の垂木固定ビス確認用部材。
【請求項４】
前記係止板には、前記垂木の側部にめり込む爪片が突設されていることを特徴とする請求項３記載の垂木固定ビス確認用部材。
【請求項５】
前記通し孔の直径は、前記垂木固定ビスの頭部の直径よりも小さいことを特徴とする請求項１〜４のいずれか一項記載の垂木固定ビス確認用部材。
【請求項６】
前記横架材と、
前記横架材の上部に架設された前記垂木と、
前記垂木の上面側から前記横架材に向けてねじ込まれた前記垂木固定ビスと、
前記垂木に載置されて前記通し孔に前記垂木固定ビスが通された請求項１〜５のいずれか一項記載の垂木固定ビス確認用部材と、
を備えることを特徴とする垂木の固定構造。  
【発明の詳細な説明】
【技術分野】
【０００１】
本発明は、垂木の固定に用いられる垂木固定ビスを確認するための垂木固定ビス確認用部材、及び垂木の固定構造に関する。
【背景技術】
【０００２】
従来、特許文献１に記載されるように、建物の屋根において横架材（例えば母屋、小屋梁、軒げた等）に垂木を固定するための垂木固定ビスが知られている。この垂木固定ビスは、横架材上に架設された垂木の上面側から横架材に向けてねじ込まれることによって、所定の強度（保持力）で垂木を固定するものである。この垂木固定ビスを用いることにより、ひねり金物と呼ばれる旧来の固定金具を用いる場合に比して、垂木を固定する際の施工性が大幅に向上する。
【先行技術文献】
【特許文献】
【０００３】
【特許文献１】特開２００７−３２７５４０号公報
【発明の概要】
【発明が解決しようとする課題】
【０００４】
通常、建物の検査の際、垂木が横架材に適切に固定されているか否かの確認は、目視にて行われる。この目視確認は、建物が２階建ての場合には検査者が２階に上がり、屋根を見上げるようにして行われるのが一般的である。しかしながら、上記の垂木固定ビスを用いた場合、垂木の固定後にビスが露出する部分は必然的に垂木の上面側に表れたビスの頭部のみとなるため、屋根を見上げるようにした場合には、ビスの有無を確認し難い。そのため、確認の容易性の点で改善の余地があった。
【０００５】
そこで本発明は、垂木固定用ビスの有無を容易に確認することができる垂木固定ビス確認用部材および垂木の固定構造を提供することを目的とする。
【課題を解決するための手段】
【０００６】
本発明に係る垂木固定ビス確認用部材は、垂木の上面に載置される上面板と、上面板に形成されて、垂木を横架材に固定するための垂木固定ビスが通される通し孔と、を備え、上面板は、垂木の上面からはみ出すはみ出し部を有することを特徴とする。
【０００７】
本発明に係る垂木固定ビス確認用部材によれば、垂木が横架材に固定される際、垂木固定ビス確認用部材が垂木の上面に載置され、その通し孔に垂木固定ビスが通される。そして、垂木固定ビスがねじ込まれることによって垂木が横架材に固定される。このとき、上面板のはみ出し部が垂木の上面からはみ出すため、屋根を見上げるようにして垂木を見た場合、垂木固定ビスが設けられた箇所では、必ずそのはみ出し部が視認される。よって、はみ出し部が見えるか否かによって垂木固定ビスの有無を判断できることになるため、垂木固定ビスの有無を容易に確認することができる。
【０００８】
ここで、上面板は、傾斜した垂木の上面に載置されたときに、通し孔よりも低い部分の面積が通し孔よりも高い部分の面積よりも大きいと好適である。通し孔を通ってねじ込まれた垂木固定ビスの頭部が通し孔の周囲の上面板に圧接した際、その反動で、圧接された部分の外周部が反り返ることが考えられる。上記構成によれば、通し孔よりも高い部分の面積は小さくなっているため、傾斜方向上側における上面板の反り返りは比較的抑制される。よって、垂木上に野地板などの板材を設置するにあたり、板材を傾斜方向上方から下方に向けてスムーズに滑らすことができる。従って、屋根の施工性を低下させることなく、上記した確認容易性を実現できる。
【０００９】
また、上面板のはみ出し部には、垂木の側面に沿って下方に延びる係止板が連設されていると好適である。この場合、はみ出し部のみならず係止板も視認することができ、垂木固定ビスの有無をより一層容易に確認することができる。しかも、垂木の上面に上面板が載置されると共に側面に沿って係止板が延びるため、垂木固定ビス確認用部材それ自体が垂木固定ビスのねじ込みに伴って回転するようなことを防止できる。さらに、係止板の形状等を工夫することで意匠性をもたせることもでき、美観の向上を図ることができる。
【００１０】
また、係止板には、垂木の側部にめり込む爪片が突設されていると好適である。この場合、垂木固定ビス確認用部材を垂木にあてがう際、爪片を垂木の側部にめり込ませることで、垂木固定ビス確認用部材を垂木に留めておくことができる。よって、垂木固定ビスの取付前に垂木固定ビス確認用部材がずれるようなことがなく、施工性の向上が図られる。さらに、爪片によって係止板が垂木に係合するため、垂木固定ビスを取り付けた際の係止板の浮き上がりを防止することができる。
【００１１】
また、通し孔の直径は、垂木固定ビスの頭部の直径よりも小さいと好適である。この場合、垂木固定ビスが取り付けられた際にその頭部の周縁が、垂木との間に上面板を挟み込むこととなる。よって、上面板がワッシャのように機能し、垂木固定ビスの取り付けをより確実に行うことができる。
【００１２】
本発明に係る垂木の固定構造は、横架材と、横架材の上部に架設された垂木と、垂木の上面側から横架材に向けてねじ込まれた垂木固定ビスと、垂木に載置されて通し孔に垂木固定ビスが通された上記の垂木固定ビス確認用部材と、を備えることを特徴とする。
【００１３】
この固定構造によれば、垂木固定ビスによる施工性の向上と、施工後における垂木固定ビスの有無の確認容易性とを両立することができる。
【発明の効果】
【００１４】
本発明によれば、垂木固定用ビスの有無を容易に確認することができる。
【図面の簡単な説明】
【００１５】
【図１】本発明の一実施形態に係る垂木固定ビス確認用部材を示す図である。
【図２】図１の垂木固定ビス確認用部材を上面側から見た斜視図である。
【図３】図１の垂木固定ビス確認用部材を裏面側から見た斜視図である。
【図４】本発明の一実施形態に係る垂木の固定構造を示す斜視図である。
【図５】図４の固定構造が適用された建物の全体を示す斜視図である。
【図６】図４中の垂木固定ビスの正面図である。
【図７】図４における垂木の中心線および垂木固定ビスの軸線を含む位置の断面図である。
【図８】本発明の他の実施形態に係る垂木の固定構造を示す図である。
【発明を実施するための形態】
【００１６】
以下、本発明の実施形態について図面を参照しながら説明する。なお、図面の説明において同一要素には同一符号を付し、重複する説明は省略する。
【００１７】
［垂木固定ビス確認用部材］
図１〜図３に示すように、垂木固定ビス確認用部材１（以下、「確認用部材１」という）は、垂木の固定構造に用いられる垂木固定ビスの有無を確認するための部材である。図５に示すように、建物Ａの屋根構造では、水平方向に延在する母屋などの横架材１０が、屋根の傾斜方向において等間隔に複数並設されている。複数の横架材１０の上部には、屋根の傾斜方向に沿って延在する垂木１１が架設される。この垂木１１は、横架材１０の延在方向、すなわち水平方向において等間隔に複数並設される。
【００１８】
図１（ａ）は確認用部材１の上面図、図１（ｂ）は正面図、図１（ｃ）は右側面図である。確認用部材１は、横架材１０と垂木１１とが交差する位置において、垂木１１に載置される。以下の説明において、横架材１０の延在方向をＸ方向、垂木１１の延在方向をＹ方向、Ｘ方向およびＹ方向に垂直な方向をＺ方向とする。すなわち、Ｘ方向は水平方向に一致し、Ｙ方向は屋根の傾斜方向に一致する。
【００１９】
確認用部材１は、例えば厚さ１ｍｍ程度の１枚の鋼板を折り曲げて形成される部材である。この確認用部材１は、垂木１１の上面に載置される上面板２と、上面板２に連設されて下方に延びると共に、垂木１１の側面に当接する係止板５とを有している。上面板２は、Ｙ方向に対して角度θをなす方向に延びると共に、一定の幅を有している。上面板２の外形は、垂木１１に載置されたときに位置が高くなる一方の端部が半円状をなしており、他方の端部がＹ方向に沿った直線状をなしている。なお、確認用部材１の材質は、アルミなど他の金属、又は樹脂であってもよい。
【００２０】
上面板２の半円形をなす一方の端部には、円形の通し孔３が形成されている。この通し孔３は、後述の垂木固定ビスが通される孔である。通し孔３の直径は、例えば１１．５ｍｍ程度であり、垂木固定ビスの頭部の直径よりも小さくなっている。
【００２１】
上面板２の他方の端部には、垂木１１の上面からはみ出すはみ出し部２ａが設けられている。すなわち、上面板２は、垂木１１の上面に載置されたときに、屋根の傾斜方向下向きに対して角度θをなす方向に延び、垂木１１の上面から側方（Ｘ方向）に向けて僅かにはみ出す（張り出す）ように形成されている。はみ出し部２ａのはみ出し幅は、例えば１ｍｍ程度であり、確認用部材１の厚みにほぼ一致する。また、通し孔３の中心とはみ出し部２ａとの間のＸ方向における距離は、垂木１１の幅を２等分した長さにほぼ一致している。
【００２２】
上記構成を有する上面板２においては、垂木１１の上面に載置されたときに、通し孔３よりも低い部分（図１（ａ）に示す部分Ｓ１）の面積が、通し孔３よりも高い部分（図１（ａ）に示す部分Ｓ２）の面積よりも大きくなっている。すなわち、通し孔３は、上面板２においてＹ方向上側に偏った位置に形成されている。
【００２３】
係止板５は、上面板２のはみ出し部２ａに連設されて下方に延びると共に、はみ出し部２ａのＹ方向の長さにほぼ一致する長さの上辺を有する長方形状をなしている。上面板２を含む面と係止板５を含む面とは、互いに直交している。
【００２４】
係止板５の中央付近には、Ｘ方向における上面板２側に向けて三角形状の爪片６が突設されている。この爪片６は、係止板５の一部がＶ字状に切り欠かれ、垂直に折り曲げられることにより形成されている。この爪片６が形成されることで、係止板５には三角形状の開口７が形成されている。爪片６は、確認用部材１が垂木１１に取り付けられる際に、垂木１１の側部にめり込む。
【００２５】
［垂木の固定構造］
図４及び図５に示すように、垂木１１の固定構造Ｂは、横架材１０と垂木１１との各々の接合部位において形成されている。横架材１０の上部１０ａには、垂木１１が嵌まり込む嵌合溝（図４では垂木１１が嵌っているため見えない）が形成されており、この嵌合溝に垂木１１が嵌め込まれることで、垂木１１がＹ方向に延設されている。
【００２６】
横架材１０に対し垂木１１が嵌め込まれたその位置において、垂木１１の上部に前述の確認用部材１が載置されている。ここで、確認用部材１の上面板２は、垂木１１の上面１１ａに載置されると共に、係止板５は、垂木１１の側面１１ｂに当接している。上面板２に形成された通し孔３は、垂木１１の上面１１ａにおける幅方向（Ｘ方向）の略中央部に位置している。
【００２７】
図６に示すように、垂木固定ビス１５は、軸部１６と、軸部１６の先端側に形成されたネジ部１７と、軸部１６の基端側に形成された円板状の頭部２０と、頭部２０と軸部１６の基端との間に形成された円錐台形部１８とを有している。垂木固定ビス１５は、上述した特許文献１に記載されたビスと同様の構成である。
【００２８】
図４及び図７に示すように、垂木固定ビス１５は、確認用部材１の通し孔３を通って垂木１１を貫通し、横架材１０内にねじ込まれている。これにより、垂木固定ビス１５の軸部１６は、Ｚ方向に配置されている。ここで、頭部２０の上端面は、垂木１１の上面１１ａとほぼ面一であると共に、頭部２０に圧接された通し孔３の周縁部２ｂ（図７参照）は、垂木１１内に陥没している。
【００２９】
以上説明した本実施形態の確認用部材１によれば、上面板２のはみ出し部２ａが垂木１１の上面１１ａからはみ出すため、屋根を見上げるようにして垂木１１を見た場合、垂木固定ビス１５が設けられた箇所では、必ずそのはみ出し部２ａが視認される。よって、はみ出し部２ａが見えるか否かによって垂木固定ビス１５の有無を判断できる。したがって、検査者は、垂木固定ビス１５の有無を容易に確認できる。
【００３０】
また、上面板２は、傾斜した垂木１１の上面１１ａに載置されたときに、通し孔３よりも高い部分Ｓ２の面積は小さくなっているため、通し孔３を通ってねじ込まれた垂木固定ビス１５の頭部２０が通し孔３の周縁部２ｂ（図７参照）に圧接しても、Ｙ方向上側における上面板２の反り返りは抑制されている。よって、図５に示すように、垂木１１上に野地板１２などの板材を設置するにあたり、板材をＹ方向上方から下方に向けてスムーズに滑らすことができる。従って、屋根の施工性を低下させることなく、上記した確認容易性が実現される。
【００３１】
また、上面板２のはみ出し部２ａには、垂木１１の側面１１ｂ（図４参照）に沿って下方に延びる係止板５が連設されているため、係止板５を視認することができ、検査者は、垂木固定ビス１５の有無をより一層容易に確認できる。しかも、垂木１１の上面１１ａに上面板２が載置されると共に側面１１ｂに沿って係止板５が延びるため、確認用部材１それ自体が垂木固定ビス１５のねじ込みに伴ってＺ方向の軸線回りに回転することが防止されている。さらには、係止板５の形状等を工夫することで意匠性をもたせることもでき、美観の向上を図ることができる。
【００３２】
また、係止板５には、垂木１１の側部にめり込む爪片６が突設されているため、確認用部材１を垂木１１にあてがう際、爪片６を垂木１１の側部にめり込ませることで、確認用部材１を垂木１１に留めておくことができる。よって、垂木固定ビス１５の取付前に確認用部材１がずれるようなことがなく、施工性の向上が図られる。さらに、爪片６によって係止板５が垂木１１に係合するため、垂木固定ビス１５を取り付けた際の係止板５の浮き上がりが防止される。
【００３３】
また、通し孔３の直径は、垂木固定ビス１５の頭部２０の直径よりも小さいため、垂木固定ビス１５が取り付けられた際に頭部２０の周縁が、垂木１１との間に上面板２を挟み込むこととなる。よって、上面板２がワッシャのように機能し、垂木固定ビス１５の取り付けがより確実に行われる。
【００３４】
また、本実施形態に係る垂木１１の固定構造Ｂによれば、垂木固定ビス１５による施工性の向上と、施工後における垂木固定ビス１５の有無の確認容易性とを両立することができる。
【００３５】
以上、本発明の実施形態について説明したが、本発明は上記実施形態に限られるものではない。
【００３６】
例えば、図８（ａ）に示すように、円板状の上面板２Ｃからなる確認用部材１Ｃを用いた固定構造Ｃであってもよい。この場合、上面板２Ｃの周縁部２１，２１が垂木１１の上面１１ａからはみ出す構成とすれば、上記実施形態と同じく下方からの視認が可能になる。
【００３７】
また、図８（ｂ）に示すように、略三角形状の上面板２Ｃからなる確認用部材１Ｄを用いた固定構造Ｄであってもよい。この場合、三角形状の一の角部に垂木固定ビス１５を通し、他の角部２２，２２が垂木１１の上面１１ａからはみ出す構成とすれば、上記実施形態と同じく下方からの視認が可能になる。
【００３８】
さらには、図８（ｃ）に示すように、長方形状の上面板２Ｅと、上面板２Ｅの両端２４，２４に連設された五角形状の係止板５Ｅと、からなる確認用部材１Ｅを用いた固定構造Ｅであってもよい。この場合、両端２４，２４が垂木１１の上面１１ａからはみ出すと共に、係止板５Ｅが側面１１ｂに当接する構成とすれば、上記実施形態と同じく下方からの視認が可能になる。ここで、係止板５Ｅの下側の頂部（上面板２Ｅから最も遠い位置にある頂部）は、垂木１１の延在方向における位置が通し孔３の中心位置と略一致するように形成されることが好ましい。このようにすれば、係止板５Ｅを垂木１１に載置するにあたり、垂木固定ビス１５をねじ込むべき目標位置（垂木１１の延在方向における位置）にその頂部を予め合わせておくことで、その目標位置に容易かつ確実に垂木固定ビス１５をねじ込むことができる。図８（ｃ）では、横架材１０の辺（嵌合溝が形成されて切り欠かれた稜線部）の位置に垂木固定ビス１５をねじ込む場合について示している。
【符号の説明】
【００３９】
１…確認用部材（垂木固定ビス確認用部材）、２，２Ｃ〜２Ｅ…上面板、２ａ…はみ出し部、３…通し孔、５，５Ｅ…係止板、６…爪片、１０…横架材、１１…垂木、１１ａ…上面、１５…垂木固定ビス、２１，２２，２４…はみ出し部、Ｂ〜Ｅ…固定構造（垂木の固定構造）。  
【図１】
2012097537.tif 000003
【図２】
2012097537.tif 000004
【図３】
2012097537.tif 000005
【図４】
2012097537.tif 000006
【図５】
2012097537.tif 000007
【図６】
2012097537.tif 000008
【図７】
2012097537.tif 000009
【図８】
2012097537.tif 000010